(57)【要約】  【課題】  リアプロジェクション型ディスプレイ装置のライトペン１６からのビーム（光ビーム）のスクリーン２への照射位置２０の検出精度を高める。  【解決手段】  ビーム照射位置検出器１２を透過型のスクリーン２よりも裏側の位置に設け、ライトペン１６からビーム１８がスクリーン１８へ照射されたときその裏側への散乱光をそのビーム照射位置検出器１６により撮像することによりビームの照射位置２０を検出するものである。  【効果】  ビーム照射位置検出器１２は画像光の後側への散乱光と、ライトペン１６からのビーム１８の散乱光を撮像するので、ライトペン１６からの散乱光に対する画像光の輝度のコントラストが強くなり、その結果、ライトペン１６からのビーム（光ビーム）のスクリーンへの照射位置の検出精度を高めることができる。【選択図】        図１
2010157044.tif 000002
【特許請求の範囲】
【請求項１】
画像光を投射するプロジェクタと、
上記プロジェクタの前側に位置し、このプロジェクタからの画像光を裏面にて受けて前側へ画像を表示する透過型のスクリーンと、
上記スクリーンよりも後側に配置され、上記スクリーン正面側からのライトペンによるビームのスクリーン裏面上における散乱位置を検出するためのビーム照射位置検出器と、
ビーム照射位置検出器の出力を処理して散乱位置の座標を計算する情報処理装置と、
を少なくとも有することを特徴とするディスプレイ装置。
【請求項２】
請求項１に記載のディスプレイ装置において、
前記ビーム照射位置検出器は、各座標毎の散乱光の輝度を検出する機能を有する
ことを特徴とするディスプレイ装置。
【請求項３】
請求項２に記載のディスプレイ装置において、
前記情報処理装置は、前記ビーム照射位置検出器の輝度の出力を所定閾値と比較して、そのビーム照射位置検出器の輝度の出力がその所定閾値を越えたことを以てライトペンによるビームの散乱光があると認識し、その散乱光の座標を算出するようにされた
ことを特徴とするディスプレイ装置。
【請求項４】
請求項１、２又は３に記載のディスプレイ装置において、
前記ビーム照射位置検出器の数が複数個であり、
各ビーム照射位置検出器が前記スクリーンの裏面の互いに異なる領域の散乱位置を検出するようにされた
ことを特徴とするディスプレイ装置。
【請求項５】
請求項３又は４に記載のディスプレイ装置において、
前記所定閾値を任意に切り換えることができるようにされた
ことを特徴とするディスプレイ装置。
【請求項６】
請求項１に記載のディスプレイ装置において、
前記ビーム照射位置検出器は、各座標毎の散乱光の輝度と所定閾値とを比較し、散乱光の輝度がその所定閾値を越えたとき散乱検出出力を発生するようにされた
ことを特徴とするディスプレイ装置。
【請求項７】
請求項１、２、３、４、５又は６記載のディスプレイ装置において、
前記ビーム照射位置検出器は、カラーフィルタを有し、
波長の異なる複数種のビームをそれぞれ検出することができるようにされた
ことを特徴とするディスプレイ装置。
【請求項８】
請求項７のディスプレイ装置において、
前記波長の異なるビームに対応してそのビームの前記スクリーンへの照射位置、その軌跡の表示画像へ重ねての表示の色を異ならせてなる
ことを特徴とするディスプレイ装置。
【請求項９】
請求項７又は８に記載のディスプレイ装置に対して用いるライトペンであって、
自身が発光するビームの波長（色）を切り換えることができるようにされた
ことを特徴とするライトペン。
【発明の詳細な説明】
【技術分野】
【０００１】
本発明は、プロジェクタからの画像光を光透過型のスクリーンの後面に照射し、そのスクリーンの前面に画像を表示させ、ライトペンから上記スクリーンの前面に発する光により画面上の座標を特定して入力をするようにしたディスプレイ装置とそれに用いるライトペンに関する。
【背景技術】
【０００２】
一般に、プロジェクション型ディスプレイ装置には、反射型スクリーンを用いるもの（フロントプロジェクション型ディスプレイ装置）と、透過型スクリーンを用いるもの（リアプロジェクション型ディスプレイ装置）がある。
反射型スクリーンを用いるフロントプロジェクション型ディスプレイ装置は、略垂直方向に配置したスクリーンの正面側に、そのスクリーンに対して光軸を例えば斜め下向きに或いは斜め上向きに画像光を照射するようにプロジェクタを配置し、そのプロジェクタからの画像光をそのスクリーンに照射してスクリーンの正面側から画像を視認するようにしたものである。
【０００３】
透過型スクリーンを用いたリアプロジェクション型ディスプレイ装置（特許文献１：特開２００６−１１１７６号公報、特許文献２：特開２００８−１９１１７２号公報）は、略垂直方向に配置したスクリーンの背後にプロジェクタを配置し、そのプロジェクタからの画像光をスクリーンの後面に照射し、その画像光の透過光により画像をプロジェクタの正面側にて視認できるようにしたものである。
反射型スクリーンを用いたフロントプロジェクション型ディスプレイ装置は、基本的に、スクリーンの前に人等が立つと、その人等によってスクリーンとプロジェクタとの間が遮られて画像の全部又は一部が表示されないという欠点がある。更に、プロジェクタから投射される画像光を画像の表示に有効に寄与させることが難しく、明るく鮮明な画像が得られないという欠点があり、更に、外光がスクリーンの前側の視る人の方向に反射され、外光に弱いという欠点がある。
【０００４】
従って、明るい照明下や野外で鮮明な画像を得ることが難しく、例えば、会議室や教室で使う場合、照明を消したり、照明の光を弱くしたりして室内を暗くしないと、画像を必要なコントラストにすることは難しい。そして、室内を暗くすると、会議をする人や生徒等が資料やテキストを見ながら会議をしたり、授業を受けたりすることができない。
それに対して、透過型スクリーンを用いたリアプロジェクション型ディスプレイ装置は、先ず、スクリーンの前に人等が立ったとしてもプロジェクタとスクリーンとの間が遮断されないという利点を有する。
更に、リアプロジェクション型ディスプレイ装置は、外光の影響を受けにくい、画像が明るい、従って、明るい照明下であっても鮮明な鮮明な画像を得ることができるという利点がある。
【０００５】
従って、会議室における会議や教室における授業に適すると言える。殊に、小中学校、高等学校、大学、その他の各種の学校の教室における教育に適し、教育現場への用途に極めて強い将来性が期待されている。
というのは、会議や授業は、資料やテキストを視ながら行えるようにすることが好ましく、ディスプレイ装置による表示をするために会議室や教室の照明を暗くすることは好ましくないが、リアプロジェクション型ディスプレイ装置によれば、画像を鮮明にするために照明を暗くする必要をなくすことができるからである。
【０００６】
ところで、ディスプレイには、画像を表示する状態のスクリーンの画面上をレーザ光等を照射するライトペン（レーザポインタ）でなぞると、そのなぞった軌跡が画像にオーバーラップして表示されるようにするようにしたタイプのものがある。
このようなタイプのディスプレイを用いると、スクリーンの表示画像上にライトペン（レーザポインタ）を用いて書き加えることができるので、会議の説明、授業に極めて有効、有益である。
【０００７】
従って、上述したように会議や授業に適するリアプロジェクション型ディスプレイ装置にも、そのような機能を備えることが要求され、そのような要求に応えた技術が開発されつつある。
図３はそのようなリアプロジェクション型ディスプレイ装置の従来例を示す概略構成斜視図である。同図において、ａは透過型のスクリーンであり、ｂはスクリーンａの前面、ｃはスクリーンａの裏面である。ｄはスクリーンｃの裏側に配置され、そのスクリーンａの裏面ｃへ画像光を投射するプロジェクタで、その画像光はそのスクリーンｃを透過して表面ｂにて表側の人向けの画像を表示する。
【０００８】
ｅはプロジェクタｄを制御し、更に画像データを送ってプロジェクタｄをして画像光を投射させる情報処理装置（例えばパーソナルコンピュータ）である。
ｆはスクリーンａの前面の一つの隅角部近傍に配置されたビーム照射位置検出器で、スクリーンａの前面有効画像表示領域全域を視野にして所定の走査動作により輝度を検出する。このビーム照射位置検出器ｆはライトペン（レーザポインタ）ｇで照射されたレーザビームｈのスクリーンａ前面ｂへの照射部ｉの座標を検出するためのものである。
【０００９】
このリアプロジェクション型ディスプレイ装置の情報処理装置ｅは、上述したように、プロジェクタｄを制御すると共に、プロジェクタｄへ画像情報を供給することにより画像光をスクリーンａの裏面ｃへ投射させて画像を表示させるが、更に、ビーム照射位置検出器ｆを制御し、且つ、ビーム照射位置検出器ｆの出力を入力して各座標毎の輝度を検出し、更にその輝度を所定閾値と比較し、その閾値を越えた輝度を以てレーザビームｈの照射部ｉと認識し、その照射部のｉの座標を検出し、適宜記憶し、更に照射部ｉの移動軌跡の座標をスクリーンａによる表示画像に重ねて表示させる機能も果たす。
従って、ディスプレイを用いると、スクリーンの表示画像上にライトペン（レーザポインタ）を用いて任意に文字、記号、模様、図形等の書き加えをすることができる。
【特許文献１】特開２００６−  １１１７６号公報
【特許文献２】特開２００８−１９１１７２号公報
【発明の開示】
【発明が解決しようとする課題】
【００１０】
ところで、上述した従来のリアプロジェクション型ディスプレイ装置には、ビーム照射位置検出器ｆによるレーザビームのスクリーンａへの照射位置ｉの正確な検出が難しいという問題があった。
そこで、その原因を追及したところ、次のことが判明した。
即ち、従来のリアプロジェクション型ディスプレイ装置のビーム照射位置検出器ｆは、図３に示すように、スクリーンａより前側に配置されており、ライトペン（レーザポインタ）ｇから投射されたレーザービームｈのスクリーンａの前面ｂから前側への反射光を受光することにより照射部ｉを検出するが、元来、透過型のスクリーンａは、正面側のライトペンｇからのレーザビームｉの多くを透過し、前面ｂにて前側に反射される光の割合は比較的少ない。
【００１１】
そのため、スクリーンａの前面ｂに表示されるプロジェクタｄによる画像をつくる部分の輝度のレーザービームｈの照射部ｉとの輝度に対するコントラストを充分に高くすることが難しいという問題があり、ビーム照射位置検出器ｆにより撮像した画像から、レーザ照射部ｉのみを的確に抽出することが容易ではない。
特に、ビーム照射位置検出器ｆの出力（輝度）の比較基準になる所定閾値の設定が難しく、的確でないと、照射位置ｉの正確な検出が不可能なのである。
【００１２】
本発明は、このような課題を解決すべく為されたもので、リアプロジェクション型ディスプレイ装置のライトペンからのビーム（光ビーム）のスクリーンへの照射位置の検出精度を高めることを目的とする。
【課題を解決するための手段】
【００１３】
請求項１に記載のディスプレイ装置は、画像光を投射するプロジェクタと、このプロジェクタの前側に位置し、このプロジェクタからの画像光を裏面にて受けて前側へ画像を表示する透過型のスクリーンと、このスクリーンよりも後側に配置され、そのスクリーン正面側からのライトペンによるビームのスクリーン裏面上における散乱位置を検出するためのビーム照射位置検出器と、ビーム照射位置検出器の出力を処理して散乱位置の座標を計算する情報処理装置と、を少なくとも有することを特徴とする。
請求項２に記載のディスプレイ装置は、請求項１に記載のディスプレイ装置において、前記ビーム照射位置検出器は、各座標毎の散乱光の輝度を検出する機能を有する。
【００１４】
請求項３に記載のディスプレイ装置は、請求項２に記載のディスプレイ装置において、前記情報処理装置は、前記ビーム照射位置検出器の輝度の出力を所定閾値と比較して、そのビーム照射位置検出器の輝度の出力がその所定閾値を越えたことを以てライトペンによるビームの散乱光があると認識し、その散乱光の座標を算出するようにされたことを特徴とする。
請求項４のディスプレイ装置は、請求項１、２又は３に記載のディスプレイ装置において、前記ビーム照射位置検出器の数が複数個であり、各ビーム照射位置検出器が前記スクリーンの裏面の互いに異なる領域の散乱位置を検出するようにされたことを特徴とする。
【００１５】
請求項５に記載のディスプレイ装置は、請求項３又は４に記載のディスプレイ装置において、前記所定閾値を任意に切り換えることができるようにされたことを特徴とする。
請求項６に記載のディスプレイ装置は、請求項１に記載のディスプレイ装置において、前記ビーム照射位置検出器は、各座標毎の散乱光の輝度と所定閾値とを比較し、散乱光の輝度がその所定閾値を越えたとき散乱検出出力を発生するようにされたことを特徴とする。
【００１６】
請求項７に記載のディスプレイ装置は、請求項１、２、３、４、５又は６記載のディスプレイ装置において、前記ビーム照射位置検出器は、カラーフィルタを有し、波長の異なる複数種のビームをそれぞれ検出することができるようにされたことを特徴とする。
請求項８に記載のディスプレイ装置は、 請求項７のディスプレイ装置において、前記波長の異なるビームに対応してそのビームの前記スクリーンへの照射位置、その軌跡の表示画像へ重ねての表示の色を異ならせてなることを特徴とする。
【００１７】
請求項９に記載のライトペンは、請求項７又は８に記載のディスプレイ装置に対して用いるライトペンであって、自身が発光するビームの波長（色）を切り換えることができるようにされたことを特徴とする。
【発明の効果】
【００１８】
請求項１に記載のディスプレイ装置によれば、ビーム照射位置検出器を透過型のスクリーンよりも裏側の位置に設け、ライトペンからビームがスクリーンへ照射されたときその裏側への散乱光をそのビーム照射位置検出器により撮像することによりビームの照射位置を検出するので、ビーム照射位置検出器により撮像されるプロジェクタからの撮像光はより弱くなるのに対して、ライトペンからのビームによる裏側への散乱光光の輝度は強くなる。
従って、ビーム照射位置検出器により撮像されるプロジェクタからの画像光に対するライトペンからのビームによる輝度のコントラストを強くすることができ、延いては、ライトペンからのビーム（光ビーム）のスクリーンへの照射位置の検出精度を高めることができる。
【００１９】
即ち、透過型のスクリーンは、スクリーン後側のプロジェクタからの画像光を比較的有効にスクリーン前側に透過させるので、比較的明るい鮮明な画像がスクリーン前面にて表示されるのに対して、スクリーン前側からライトペンにより照射されるビームがスクリーンにより前側に反射されるときのビームの輝度は低くなる。
従って、従来のようにビーム照射位置検出器をスクリーンよりも前側に配置すると、ビーム照射位置検出器により撮像される画像光に対するライトペンからのビームの輝度のコントラストが弱くなる。
【００２０】
しかるに、請求項１のディスプレイ装置のように、ビーム照射位置検出器を透過型のスクリーンよりも裏側の位置に設けると、必然的に、ビーム照射位置検出器は画像光の後側への散乱光と、ライトペンからのビームの拡散光を撮像し、ライトペンからの散乱光に対する画像光の輝度のコントラストが強くなり、その結果、ライトペンからのビーム（光ビーム）のスクリーンへの照射位置の検出精度を高めることができるのである。
【００２１】
請求項２に記載のディスプレイ装置によれば、ビーム照射位置検出器が各座標毎の散乱光を検出するので、各座標毎の散乱光の検出結果からライトペンからのビームのスクリーンへの照射位置及びその軌跡を求めることができる。
請求項３に記載のディスプレイ装置によれば、情報処理装置がビーム照射位置検出器からの出力を所定閾値と比較し、その出力が所定閾値より大きいときにライトペンからの照射があったと認識するので、通常の画像光の想定範囲の最大限乃至それに近い値を以て閾値とすることにより、ライトペンの照射のみを画像と分離して認識することができ、正確なライトペンの照射位置の検出ができる。
【００２２】
請求項４に記載のディスプレイ装置によれば、ビーム照射位置検出器が複数個あり、各ビーム照射位置検出器が一つのスクリーンの全域を分割したエリアを分担して撮像するので、一つのビーム照射位置検出器の撮像視野を越えた面積のスクリーンに対してライトペンのビームの照射位置を検出することが可能となる。
請求項５に記載のディスプレイ装置によれば、上記閾値を変化させることができるので、画像光の強さに応じて閾値を変えることにより画像光の強さに違いが生じてもライトペンの照射を精確に検出することができる。
【００２３】
請求項６に記載のディスプレイ装置によれば、ビーム照射位置検出器自身に、ライトペンのビームのスクリーン裏側への散乱光の輝度と所定閾値とを比較し、散乱光の輝度が所定閾値を越えたときのみ散乱光ありとの検出出力を発生するので、情報処理装置側で比較する機能を持つ必要がなくなる。
請求項７に記載のディスプレイ装置によれば、ビーム照射位置検出器がカラーフィルタを有し、波長の異なる複数種のビームを受信することができるので、例えばフィルタの切換によりその複数種のビームの照射位置をそれぞれ区別して検出することができる。
【００２４】
従って、例えば、複数のライトペンからの波長の異なる複数種のビームの照射位置を、或いは同じライトペンからの波長の異なる複数種のビームの照射位置を検出することが可能となる。
依って、ある波長のビームの照射位置と、別の波長のビームの照射位置とをスクリーン上に画像とオーバーラップして表示をさせることができる。
尚、ビーム照射位置検出器におけるフィルタの切換を時分割的に行うことにより、視覚的には、恰も同時に複数のビームの照射位置が検出され、スクリーン上への表示がされたかのようにすることもできる。
【００２５】
請求項８に記載のディスプレイ装置によれば、波長の異なるビームに対応してそのビームの前記スクリーンへの照射位置、その軌跡の表示画像へ重ねての表示の色を異ならせてなるので、波長の異なるビーム照射位置を別の色にて照射位置、その軌跡を色を異ならせて表示させることができる。
請求項９に記載のライトペンによれば、請求項８に記載されたディスプレイ装置について使用することにより、一つのライトペンを発生するビームの色を切り換えて使用することにより、異なる色の異なる表示をさせることができる。
【発明を実施するための最良の形態】
【００２６】
本発明は、基本的に、ビーム照射位置検出器を透過型のスクリーンよりも裏側の位置に設け、ライトペンからビームがスクリーンへ照射されたときその裏側への散乱光をそのビーム照射位置検出器により撮像することによりビームの照射位置を検出するものであるが、ビーム照射位置検出器と情報処理装置との役割分担については、ビーム照射位置検出器が各座標毎の散乱光を検出し、情報処理装置側において、散乱光の輝度と閾値との比較をすることにより、プロジェクタからの画像光からライトペンからのビームを分離する態様と、ビーム照射位置検出器自身に、散乱光の輝度と閾値との比較をすることにより、プロジェクタからの画像光からライトペンからのビームを分離する態様がある。
【００２７】
ビーム照射位置検出器の数は、１個であっても良いが、広いスクリーンの場合、ビーム照射位置検出器の数を複数にし、各ビーム照射位置検出器にスクリーンの互いに異なるエリアを撮像範囲として分担させるようにしても良い。
また、ライトペンによるビームの輝度との比較の基準となる閾値（所定閾値）は、ディスプレイ装置の性能、設置位置の照明等、条件に応じて切り換えることができるように可変にした方がよい。
【００２８】
更に、ビーム照射位置検出器には一又は複数のカラーフィルタに備えさせ、カラーフィルタを時分割動作により切り換えて使用できるようにすると、異なる色のビームによる照射位置の指定を受け入れることができる。
その場合、使用するライトペンとして発生する光の波長（色）を複数種切り換えることができるようにすると良い。すると、マウスが右クリックと左クリックという異なる種類の命令を出すことができると同様に、ライトペンの異なる色のビームにより異なる種類の命令を出すことができる。
【００２９】
そして、ディスプレイ装置側においては、ライトペン側のビームの色の違いに対応して、ビーム照射位置、その軌跡のスクリーンへの表示の色を切り換えるようにすると、同じ画面上に複数種の表示を色により区別して表示することができる。
尚、本発明の実施に当たり、専用のライトペンを使用するようにしても良いが、既存のライトペンに、例えば、ボタンのシングルクリックによりマウスの左クリックのような意味合いを持たせ、ボタンのダブルクリックにより右クリックのような意味合いを持たせるようにするようにして、既存のライトペンに複雑な機能を持たすようにするようにしても良い。
【実施例１】
【００３０】
以下、本発明の詳細を図示実施例に基づいて説明する。
図１（Ａ）、(Ｂ)は本発明の第１の実施例(：実施例１)を示すものであり、（Ａ）は全体の概略構成を示す斜視図、（Ｂ）はスクリーンの断面図である。
同図において、２は透過型のスクリーンであり、４はスクリーン２の前面、６はスクリーン２の裏面である。このスクリーン２の構造の詳細は後で説明する。
【００３１】
８はスクリーン２の裏側に配置され、そのスクリーン２の裏面６へ画像光を投射するプロジェクタで、その画像光はそのスクリーン２を透過して表面４にて表側の人向けの画像を表示する。
１０はプロジェクタ８を制御し、更に画像データを送ってプロジェクタ８に画像光の投射をさせる情報処理装置（例えばパーソナルコンピュータ）である。
【００３２】
１２はスクリーン２の後面６一つの隅角部近傍に取付具１４を介して配置されたビーム照射位置検出器で、スクリーン２の後面６の有効画像表示領域全域と対応する領域を視野にして所定の走査動作により輝度を検出する。このビーム照射位置検出器１２はライトペン（レーザポインタ）１４で照射されたレーザビーム１６のスクリーン２後面４から出射する散乱部２０の座標を検出するためのものである。
【００３３】
このリアプロジェクション型ディスプレイ装置の情報処理装置１０は、上述したように、プロジェクタ８を制御すると共に、プロジェクタ８へ画像情報を供給することにより画像光をスクリーン２の裏面６へ投射させて画像を表示させるが、更に、ビーム照射位置検出器１２を制御し、且つ、ビーム照射位置検出器１２の出力を入力して各座標毎の輝度を検出し、更にその輝度を所定閾値と比較し、その閾値を越えた輝度を以てレーザビーム１６のスクリーン２から出射する散乱部２０と認識し、その散乱部２０の座標を検出し、適宜記憶し、更に散乱部２０の移動軌跡の座標をスクリーン２による表示画像に重ねて表示させる機能も果たす。
従って、ディスプレイを用いると、スクリーンの表示画像上にライトペン（レーザポインタ）１６を用いて文字、記号、符号、図形等の書き加えをすることができる。
【００３４】
尚、ライトペン１６は既存のものを用いても良いし、専用のものを用いても良い。そして、既存のものを用いた場合には、例えば、スイッチ（ボタン）をシングルクリックすると、マウスの左クリックの如く或る動作を、スイッチをダブルクリックするとマウスの右クリックの如く別の動作をするようにしても良い。
また、ライトペン１６として専用のものを用いる場合には、ビームの波長（色）を複数種に切り換えることができるようにしても良いこと、前述の通りである。この場合には、ビーム照射位置検出器１２として、カラーフィルタを備え、カラーフィルタの切換により検出ビームの種類を切り換えることができるようにすると良いこと、前述の通りである。
【００３５】
次に、スクリーン２の構造について説明する。
４０はフレネルレンズで、表面（本実施例においては裏側の表面）にレンズ素子４２、４２、・・・が形成されており、透過型スクリーン２の裏側において斜め下側からの画像光を受け、その画像光を集光して正面側へ向ける役割を果たす。
４４はフレネルレンズ４０の表側（前側）に配置されたレンチキュラーレンズで、その表面（本実施例においては裏側の表面）に各レンズ素子４６、４６、・・・が横方向（略水平方向）への光拡散を生ぜしめるように形成されている。しかし、レンチキュラーレンズ４４自身が拡散をもたらす微粉を含むので、縦方向への拡散も若干生じる。
【００３６】
４８は上記レンチキュラーレンズ４４の平坦な側の面（本実施例においては表側の面）に接着された主として縦方向に光を拡散する性質を有する特殊な拡散フィルムであり、例えば、本願出願人大学による出願に基づいて公開された特開２００５−３３１６３１号公報により詳細が紹介されている。
このような透過型のスクリーン２によれば、フレネルレンズ４０により後側斜め下側からの図示しないプロジェクタからの画像光については、集光して正面側に向けられ、レンチキュラーレンズ４４により主として横方向に適宜拡散され、上記拡散フィルム４８により縦方向に拡散され、スクリーン２を透過して表示を為す。
【００３７】
また、スクリーン２に対して前側からライトペン１６により照射されたビーム１８は拡散フィルム４８にて縦方向に拡散され、更に、レンチキュラーレンズ４４により横方向に拡散され、フレネルレンズ４０を通過する。このビーム１８は殆ど反射されることなくスクリーン２を縦及び横方向に適宜拡散されながら散乱光となってスクリーン２のフレネルレンズ４０の裏面から後方へ出射される。２０がその散乱出射点である。
そして、ビーム照射位置検出器１４はスクリーン２の裏面６で反射される画像光と、同じくスクリーン２を適宜拡散されながらその裏面６に出謝されたライトペン１６からのビーム１８の散乱光を撮像する。
【００３８】
従って、本ビーム照射位置検出器１４により撮像されるライトペン１６からのビーム１８の散乱光の輝度のスクリーン２の裏面６で反射される画像光の輝度に対するコントラストが強くなり、延いては、ライトペン１６のスクリーン２に対するビーム照射位置、その軌跡の検出精度を高めることができる。
【００３９】
（変形例）
図２（Ａ）、（Ｂ）は本発明に係るスクリーンの各々別の変形例２ａ、２ｂを示す断面図である。
図２（Ａ）に示すスクリーン２ａは、レンチキュラーレンズ４４に代えてフライアイレンズ６０を用い、そのレンズ素子６２、６２、・・・の形成面と反対側の面にビームマスク６４を形成した点で、図１のディスプレイ装置のスクリーン２とは異なるが、それ以外の点では共通する。このフライアイレンズ６０は光拡散をもたらす微粉を含んでいる。ビームマスク６４は縦方向の光拡散の角度を一定限度に制約するためである。
【００４０】
図２（Ｂ）に示すスクリーン２ｂは、レンチキュラーレンズとして光拡散をもたらす微粉を含んでいないもの４４ａを用い、更に、レンズ素子４６、４６、・・・の形成面と反対側の面に拡散板７０を形成し、更に、その拡散板７０のレンチキュラーレンズ４４ａとは反対側の面に前述の図１のディスプレイ装置のスクリーン２の拡散フィルム（４８）と同じ拡散フィルム４８を形成したものである。この拡散フィルム４８は図１のディスプレイ装置のスクリーン２の場合と同様に、縦方向（上下方向の光拡散を得るためのものである。
このように、本発明にはスクリーンとして種々の透過型スクリーンを用いることができ、特定のものに限定されない。
【産業上の利用可能性】
【００４１】
本発明は、プロジェクタからの画像光を光透過型のスクリーンの後面に照射し、そのスクリーンの前面に画像を表示させ、ライトペンから上記スクリーンの前面に発する光により画面上の座標を特定して入力をするようにしたディスプレイ装置とそれに用いるライトペンに広く産業上の利用可能性がある。
【図面の簡単な説明】
【００４２】
【図１】（Ａ）、(Ｂ)は本発明の第１の実施例(：実施例１)を示すものであり、（Ａ）は全体の斜視図、（Ｂ）はスクリーンの断面図である。
【図２】（Ａ）、（Ｂ）は本発明に係るスクリーンの各々別の変形例を示す断面図である。
【図３】リアプロジェクション型ディスプレイ装置の従来例を示す概略構成斜視図である。
【符号の説明】
【００４３】
２、２ａ、２ｂ・・・透過型のスクリーン、４・・・前面、６・・・後面、
８・・・プロジェクタ、１０・・・情報処理装置、１２・・・ビーム照射位置検出器、
１６・・・ライトペン（レーザポインタ）、１８・・・ビーム、２０・・散乱点。
【図１】
2010157044.tif 000003
【図２】
2010157044.tif 000004
【図３】
2010157044.tif 000005